(57)【要約】【課題】  注文情報の入力作業にかかる時間及び労力を短縮させる。【解決手段】  メディアドライブが記録媒体から読み出した画像データファイルは画像データ記憶部に記憶される（Ｓ１０８）。その後、メディアドライブにセットされた記録媒体又は画像データ記憶部の画像データファイルから画像の撮影条件が取得される（Ｓ１０９）。そしてディスプレイへの表示を必要とする画像の撮影条件が選択される（Ｓ１１３〜Ｓ１１６）と、ステップＳ１０９において取得された撮影条件に基づいて、ステップＳ１０８において画像データ記憶部に記憶された画像データファイルの中から選択された撮影条件に適合した画像データファイルが抽出される（Ｓ１１７）。抽出された画像データファイルに係る画像を含む注文画面がディスプレイに表示され、オペレータはディスプレイに表示された画像に対して注文情報を入力していく。【選択図】        図１６Ａ
2006277255.tif 000002
【特許請求の範囲】
【請求項１】
写真プリントの注文を受け付けるプリント注文受付装置において、
記録媒体に記録された一又は複数の画像データファイルを読み出すための読み出し部と、
前記読み出し部によって読み出された画像データファイルに係る画像の撮影条件を前記記録媒体又は画像データファイルから取得する撮影条件取得手段と、
ディスプレイと、
前記撮影条件取得手段が取得した撮影条件に基づいて、前記読み出し部が読み出した画像データファイルの中から、設定された撮影条件に適合した又は適合しない画像データファイルを抽出する抽出手段と、
前記抽出手段が抽出した画像データファイルに係る画像を含む注文画面を前記ディスプレイに表示させる注文画面表示制御手段とを備えていることを特徴とするプリント注文受付装置。
【請求項２】
前記ディスプレイへの表示を必要とする又は必要としない画像の撮影条件を入力する撮影条件入力手段をさらに備え、
前記抽出手段が前記撮影条件入力手段によって入力された撮影条件に適合した又は適合しない画像データファイルを抽出することを特徴とする請求項１に記載のプリント注文受付装置。
【請求項３】
撮影条件に係る複数の選択肢を含む撮影条件選択画面を前記ディスプレイに表示させる撮影条件選択画面表示制御手段をさらに備えていることを特徴とする請求項２に記載のプリント注文受付装置。
【請求項４】
前記撮影条件選択画面表示制御手段は、１つの前記撮影条件選択画面内に同種の撮影条件に係る選択肢だけが表示されるようにすると共に、
複数種類の撮影条件に係る複数の前記撮影条件選択画面を順次前記ディスプレイに表示させることを特徴とする請求項３に記載のプリント注文受付装置。
【請求項５】
前記撮影条件選択画面表示制御手段は、１つの前記撮影条件選択画面内に互いに異種の撮影条件に係る選択肢又はそれらを組み合わせた組合せ選択肢を表示させることを特徴とする請求項３に記載のプリント注文受付装置。
【請求項６】
前記撮影条件選択画面に表示される撮影条件に係る複数の選択肢を記憶する選択肢記憶手段をさらに備えていることを特徴とする請求項３〜５のいずれか１項に記載のプリント注文受付装置。
【請求項７】
前記選択肢記憶手段に記憶された選択肢を書き換える選択肢書換手段をさらに備えていることを特徴とする請求項６に記載のプリント注文受付装置。
【請求項８】
前記選択肢記憶手段が複数種類の撮影条件に係る選択肢を記憶しており、
前記複数種類の撮影条件のうちどの種類の撮影条件に係る選択肢を前記撮影条件選択画面に表示させるかを操作に基づいて入力する有効種類入力手段をさらに備え、
前記撮影条件選択画面表示制御手段が、前記有効種類入力手段によって入力された種類の撮影条件に係る選択肢を前記撮影条件選択画面に表示させることを特徴とする請求項６又は７に記載のプリント注文受付装置。
【請求項９】
前記撮影条件選択画面表示制御手段は、前記撮影条件取得手段が取得した撮影条件に基づいて、前記撮影条件選択画面に含まれる撮影条件に係る選択肢を決定することを特徴とする請求項３〜５のいずれか１項に記載のプリント注文受付装置。
【請求項１０】
前記撮影条件選択画面表示制御手段は、撮影条件に係る選択肢にそれぞれ対応した複数のアイコンを前記撮影条件選択画面に表示させることを特徴とする請求項３〜９のいずれか１項に記載のプリント注文受付装置。
【請求項１１】
注文の完了が指示されたか否かを判断する注文完了判断手段をさらに備えており、
注文の完了が指示されたと前記注文完了判断手段が判断するまで、前記撮影条件入力手段が撮影条件を複数回入力可能であり、
前記撮影条件入力手段が撮影条件を入力するごとに、前記抽出手段が画像データファイルを抽出することを特徴とする請求項２〜９のいずれか１項に記載のプリント注文受付装置。
【請求項１２】
撮影条件が、レンズと被写体との距離、ストロボ発光の有無、シャッター速度、及び、ＥＶ値のいずれか１つに関連するものであることを特徴とする請求項１〜１１のいずれか１項に記載のプリント注文受付装置。
【請求項１３】
写真プリントの注文を受け付けるプリント注文受付方法において、
記録媒体に記録された一又は複数の画像データファイルを読み出す読み出しステップと、
前記読み出しステップにおいて読み出された画像データファイルに係る画像の撮影条件を前記記録媒体又は画像データファイルから取得する撮影条件取得ステップと、
前記撮影条件取得ステップにおいて取得した撮影条件に基づいて、前記読み出しステップにおいて読み出された画像データファイルの中から、設定された撮影条件に適合した又は適合しない画像データファイルを抽出する抽出ステップと、
前記抽出ステップにおいて抽出された画像データファイルに係る画像を含む注文画面をディスプレイに表示する注文画面表示ステップとを備えていることを特徴とするプリント注文受付方法。
【発明の詳細な説明】
【技術分野】
【０００１】
本発明は、写真プリントの注文を受け付けるプリント注文受付装置及び方法に関する。
【背景技術】
【０００２】
ＤＰ店の店頭にプリント注文受付装置、店内に写真処理装置を設置し、これらプリント注文受付装置及び写真処理装置をデータ伝送ネットワークで互いに接続する技術が知られている（特許文献１参照）。当該技術によると、顧客が自ら店頭にてスマートメディア等の記録媒体をプリント注文受付装置にセットし、プリント注文受付装置のディスプレイに表示された複数のサムネイル画像を見ながらプリントしたい画像、サイズ、枚数等の注文情報を入力することができる。入力された注文情報はプリント注文受付装置から写真処理装置に送信され、写真処理装置において注文情報に基づいたプリントが作成される。
【０００３】
注文情報を入力する際、プリント注文受付装置のディスプレイには、記録媒体に記録された複数の画像データファイルに対応するサムネイル画像が、例えば一画面において８コマずつ撮影した順に表示される。したがって顧客等のオペレータは、記録媒体に記録されている全画像データファイルに対応する画像を順に確認しながらプリントしたい画像、サイズ、枚数等を選択していく必要がある。
【特許文献１】特開２００３−１２１９４６号公報
【発明の開示】
【発明が解決しようとする課題】
【０００４】
ところで、近年ＩＴ技術の進歩と共に、記録媒体のデータ記録容量が急速に増加してきている。これに伴って、プリントの注文情報を入力する際にオペレータが確認すべき画像の数が非常に多くなり、注文情報の入力作業に多大な時間及び労力がかかるという問題が生じている。さらにこの場合、１オペレータがプリント注文受付装置を占用する時間が長くなるため、当該受付装置を効率よく使用することができず、他の顧客が長時間待たなくてはならない等、顧客にもＤＰ店にも不都合が生じてしまう。
【０００５】
そこで、本発明の目的は、注文情報の入力作業にかかる時間及び労力を短縮させることが可能なプリント注文受付装置およびプリント注文受付方法を提供することである。
【課題を解決するための手段及び効果】
【０００６】
本発明のプリント注文受付装置は、写真プリントの注文を受け付けるプリント注文受付装置において、記録媒体に記録された一又は複数の画像データファイルを読み出すための読み出し部と、読み出し部によって読み出された画像データファイルに係る画像の撮影条件を記録媒体又は画像データファイルから取得する撮影条件取得手段と、ディスプレイと、撮影条件取得手段が取得した撮影条件に基づいて、読み出し部が読み出した画像データファイルの中から、設定された撮影条件に適合した又は適合しない画像データファイルを抽出する抽出手段と、抽出手段が抽出した画像データファイルに係る画像を含む注文画面をディスプレイに表示させる注文画面表示制御手段とを備えていることを特徴とする。
【０００７】
本発明のプリント注文受付方法は、写真プリントの注文を受け付けるプリント注文受付方法において、記録媒体に記録された一又は複数の画像データファイルを読み出す読み出しステップと、読み出しステップにおいて読み出された画像データファイルに係る画像の撮影条件を記録媒体又は画像データファイルから取得する撮影条件取得ステップと、撮影条件取得ステップにおいて取得した撮影条件に基づいて、読み出しステップにおいて読み出された画像データファイルの中から、設定された撮影条件に適合した又は適合しない画像データファイルを抽出する抽出ステップと、抽出ステップにおいて抽出された画像データファイルに係る画像を含む注文画面をディスプレイに表示する注文画面表示ステップとを備えていることを特徴とする。
【０００８】
上記構成によると、記録媒体に記録された全ての画像データファイルに対応する画像ではなく、設定された撮影条件に適合した又は適合しない画像データファイルに係る画像のみがディスプレイに表示されるので、プリントの注文情報を入力する際にオペレータが確認すべき画像の数を減少させることができる。これにより、記録媒体に非常に多くの画像が記録されている場合でも、注文情報の入力作業にかかる時間及び労力を短縮させることができる。また、１オペレータがプリント注文受付装置を占用する時間が短くなるので当該受付装置を効率よく使用することができ、他の顧客の待ち時間が短くなり、顧客にもＤＰ店にも好都合である。
【０００９】
プリント注文受付装置は、ディスプレイへの表示を必要とする又は必要としない画像の撮影条件を入力する撮影条件入力手段をさらに備え、抽出手段が撮影条件入力手段によって入力された撮影条件に適合した又は適合しない画像データファイルを抽出することが好ましい。この場合、オペレータの所望の画像をディスプレイに表示させることができる。
【００１０】
プリント注文受付装置は、撮影条件に係る複数の選択肢を含む撮影条件選択画面をディスプレイに表示させる撮影条件選択画面表示制御手段をさらに備えていることが好ましい。この場合、オペレータは撮影条件を入力する際に撮影条件選択画面に含まれる撮影条件に係る複数の選択肢の中から所望の撮影条件を選択するだけでよく、撮影条件の入力作業を容易且つ迅速に行うことができる。
【００１１】
上記撮影条件選択画面表示制御手段は、１つの撮影条件選択画面内に同種の撮影条件に係る選択肢だけが表示されるようにすると共に、複数種類の撮影条件に係る複数の撮影条件選択画面を順次ディスプレイに表示させてよい。この構成によると、１つの撮影条件選択画面内に同種の複数の撮影条件に係る選択肢だけが表示されるので、オペレータは容易且つ迅速に所望の撮影条件を見つけて入力することができる。
【００１２】
上記撮影条件選択画面表示制御手段は、１つの撮影条件選択画面内に互いに異種の撮影条件に係る選択肢又はそれらを組み合わせた組合せ選択肢を表示させてよい。この構成によると、オペレータは１つの撮影条件選択画面において１種類だけではなく複数種類に係る撮影条件を入力することができる。したがって、撮影条件を詳細に指定する場合でも、何度も画面を切り換えることなく撮影条件の入力作業を行うことができる。
【００１３】
プリント注文受付装置は、撮影条件選択画面に表示される撮影条件に係る複数の選択肢を記憶する選択肢記憶手段をさらに備えていることが好ましい。この場合、記録媒体がセットされるたびに撮影条件選択画面に表示されるべき選択肢を設定する等の煩雑な作業が必要なくなる。
【００１４】
プリント注文受付装置は、上記選択肢記憶手段に記憶された選択肢を書き換える選択肢書換手段をさらに備えていることが好ましい。この場合、撮影条件選択画面に表示される撮影条件に係る選択肢をその時々の要望に応じて変更することができる。
【００１５】
上記選択肢記憶手段が複数種類の撮影条件に係る選択肢を記憶しており、プリント注文受付装置が、複数種類の撮影条件のうちどの種類の撮影条件に係る選択肢を撮影条件選択画面に表示させるかを操作に基づいて入力する有効種類入力手段をさらに備え、撮影条件選択画面表示制御手段が、有効種類入力手段によって入力された種類の撮影条件に係る選択肢を撮影条件選択画面に表示させることが好ましい。この構成によると、撮影条件が複数種類ある場合において、オペレータにまず所望の撮影条件の種類を入力させ、その後、入力された種類の撮影条件に係る選択肢を表示してその中から所望の撮影条件を選択させることができる。この場合、選択肢記憶手段に記憶されている全種類の撮影条件に係る選択肢を撮影条件選択画面に表示する場合に比べ、撮影条件の入力作業をよりスムーズに行うことができる。
【００１６】
また、上記撮影条件選択画面表示制御手段は、撮影条件取得手段が取得した撮影条件に基づいて、撮影条件選択画面に含まれる撮影条件に係る選択肢を決定することが好ましい。この構成によると、例えば、記録媒体から読み出された画像データファイルに係る画像が風景かポートレートに限定されている場合、レンズと被写体との距離について風景及びポートレートという選択肢のみが撮影条件選択画面に表示される。また例えば、記録媒体から読み出された画像データファイルに係る画像が様々な速度の被写体を撮影したものである場合、被写体速度についての選択肢が静止及び移動の２つではなくさらに速度に応じて何段階かの選択肢が設けられる。このように記録媒体に記録された画像の撮影条件に適した選択肢を撮影条件選択画面に表示することで、撮影条件の入力作業をスムーズに行うことができる。
【００１７】
上記撮影条件選択画面表示制御手段は、撮影条件に係る選択肢にそれぞれ対応した複数のアイコンを撮影条件選択画面に表示させることが好ましい。この場合、オペレータは撮影条件選択画面に表示された撮影条件に係る各選択肢を直感的に認識することができるので、撮影条件の入力作業をスムーズに行うことができる。
【００１８】
プリント注文受付装置は、注文の完了が指示されたか否かを判断する注文完了判断手段をさらに備えており、注文の完了が指示されたと判断手段が判断するまで、撮影条件入力手段が撮影条件を複数回入力可能であり、撮影条件入力手段が撮影条件を入力するごとに、抽出手段が画像データファイルを抽出することが好ましい。この構成によると、ある撮影条件に適合した又は適合しない画像について注文を終えた後、プリント注文を完了せずに、その後引き続き、別の撮影条件を入力してその別の撮影条件に適合した又は適合しない画像についての注文を行うことができる。このようにプリント注文の完了が指示されるまで撮影条件の入力及びその撮影条件に適合する画像に関する注文情報の入力を繰り返し行うことができるので、一の撮影条件を入力してその撮影条件に適合する画像に関する注文を行う毎に初期画面に戻って記録媒体をセットし直した後別の撮影条件を入力する等の構成に比べ、注文情報の入力作業にかかる時間が短縮される。
【００１９】
撮影条件は、レンズと被写体との距離、ストロボ発光の有無、シャッター速度、及び、ＥＶ値のいずれか１つに関連するものである。上記各種類の撮影条件に係る情報は一般に記録媒体に記録されるので、画像データファイルの抽出や抽出された画像データファイルに係る画像を含む注文画面の表示を適切に行うことができる。
【発明を実施するための最良の形態】
【００２０】
以下、本発明の好適な一実施の形態について、図面を参照しつつ説明する。図１に、本発明の一実施形態に係るプリント注文受付装置を含むプリントシステムの全体構成が示されている。プリントシステム１は、写真プリントを作成する写真処理装置２０１、及び、写真プリントの注文を受け付ける２台のプリント注文受付装置１０１を含む。２台のプリント注文受付装置１０１は、イーサネット（登録商標）ケーブル３１０及びハブ３２０を含むデータ伝送ネットワーク３０１を介して、写真処理装置２０１に接続されている。
【００２１】
このようなプリントシステム１によると、顧客は、持参したスマートメディア、コンパクトフラッシュ、メモリスティック（登録商標）、ＣＤ−Ｒ（Compact Disc-Recordable：１度だけ書き込み可能な追記型ＣＤ）、ＭＯ等の記録媒体をプリント注文受付装置１０１にセットし、プリント注文受付装置１０１のディスプレイ１４０に表示されている複数のサムネイル画像を見ながらプリントしたい画像、サイズ、枚数等の注文情報を入力することができる。顧客等のオペレータ（以下、単に「オペレータ」という）が入力した注文情報はプリント注文受付装置１０１から写真処理装置２０１に送信され、写真処理装置２０１において注文情報に基づいたプリントが作成される。
【００２２】
プリント注文受付装置１０１は、図２に示すように、プリント注文受付装置１０１を制御するコントローラ１２０を格納する筐体１１０、及び、筐体１１０上に配置されたディスプレイ１４０を有する。ディスプレイ１４０の表面には、注文情報等を入力するためのタッチパネル１４１が形成されている。筐体１１０の前面（図２における紙面左手前側の面）には各種記録媒体に対応する複数のメディアドライブ１５０が設けられており、各メディアドライブ１５０は、セットされた記録媒体に記録されている画像データファイル（及び、後述のように記録媒体の画像記録形式がDPOF形式（Digital Print Order Format）等にように記録媒体内の画像データファイルとは別のファイル内に各画像の撮影条件が記憶される形式である場合には、メディアドライブ１５０にセットされている記録媒体に記録された画像データファイルとは別のファイル）を読み出す。筐体１１０内の左前方には、筐体の上面に排紙口が露出されるように、受付証を印字する受付証印字プリンタ１６０が配置されている。
【００２３】
図３に、プリント注文受付装置１０１を制御するコントローラ１２０のブロック図が示されている。コントローラ１２０には、上述したメディアドライブ１５０、ディスプレイ１４０、タッチパネル１４１、受付証印字プリンタ１６０、及び、データ伝送ネットワーク３０１（図１参照）に接続するためのネットワークインターフェイス１３９が接続されている。コントローラ１２０は、整理番号付与部１２１、画像データ記憶部１２２、表示制御部１２３、注文情報記憶部１２４、顧客情報記憶部１２５、注文情報書換部１２６、プリント情報送信部１２７、取得撮影条件記憶部１２８、画像データファイル抽出部１２９、選択肢記憶部１３０、選択肢書換部１３１、及び、注文完了判断部１３２を有する。
【００２４】
整理番号付与部１２１は、メディアドライブ１５０が記録媒体から読み出した各画像データファイルに整理番号を付与する。整理番号は注文番号及び枝番号を含み、注文番号は一顧客が持参した記録媒体に記録されている画像データファイル全てに共通の番号、枝番号は後述する一の注文画面４０（図１０及び図１１参照）に含まれるサムネイル画像群（本実施形態では８コマのサムネイル画像からなる）に対応する画像データファイル群に共通の番号である。例えばメディアドライブ１５０が記録媒体から２０個の画像データファイルを読み出した場合、整理番号付与部１２１は、図４に示すように、２０個の画像データファイルImage001.jpg〜Image020.jpg全てに共通の注文番号ｏ０００００１２を付与すると共に、画像データファイルをImage001.jpg〜Image008.jpg、Image009.jpg〜Image016.jpg、Image017.jpg〜Image020.jpgの３つの画像データファイル群に分けて各群に含まれる画像データファイルにそれぞれ枝番号０１、０２、０３を付与する。
【００２５】
画像データ記憶部１２２は、メディアドライブ１５０が読み出した複数の画像データファイルを整理番号と共に記憶する。図４は、画像データ記憶部１２２のディレクトリ構成を示す。ここで、メディアドライブ１５０が読み出した２０個の画像データファイルImage001.jpg〜Image020.jpgは、画像データ記憶部１２２において、画像データファイル群ごとにフォルダに分けて格納される。各画像データファイル群が格納されるフォルダの名称は、注文番号の後にそれぞれ枝番号０１、０２、０３を付したものである。
【００２６】
表示制御部１２３は、ディスプレイ１４０に初期画面１０（図５参照）、メディアセット案内画面２０（図６参照）、プリントサイズ選択画面３０（図７参照）、有効種類選択画面３５（図８参照）、撮影条件選択画面８０（図９参照）、注文画面４０（図１０及び図１１参照）、注文完了確認メッセージボックス４７（図１２参照）、名前入力画面５０（図１３参照）、注文内容確認画面６０（図１４参照）、受付証発行画面７０（図１５参照）等を表示させる。表示制御部１２３はまた、一のサムネイル画像群を含む注文画面４０から、まだ表示されていない別のサムネイル画像群を含む注文画面４０へと順次切り換えてディスプレイ１４０に表示する。
【００２７】
注文情報記憶部１２４は、一注文において共通の写真プリントサイズを記憶するプリントサイズ記憶部１２４ａ、画像データ記憶部１２２に記憶されている画像データファイルに係る各画像のプリント枚数をそれぞれ記憶するプリント枚数記憶部１２４ｂ、及び、各画像のＲ（赤）、Ｇ（緑）、Ｂ（青）各色の補正値及び濃度の補正値を記憶する補正値記憶部１２４ｃを有する。本実施形態では、デフォルトで、プリントサイズ記憶部１２４ａに「Ｌ版サイズ」、プリント枚数記憶部１２４ｂには各画像に対して「１」（即ち、各画像を１枚ずつプリント）、補正値記憶部１２４ｃには各画像に対して「ゼロ」（即ち、いずれの画像も補正なし）がそれぞれ記憶されている。
【００２８】
顧客情報記憶部１２５は、ディスプレイ１４０に名前入力画面５０（図１３参照）が表示されているときにオペレータが入力した顧客の名前を記憶する。
【００２９】
注文情報書換部１２６は、プリントサイズ書換部１２６ａ、プリント枚数書換部１２６ｂ、及び、補正値書換部１２６ｃを有する。プリントサイズ書換部１２６ａは、プリントサイズ記憶部１２４ａに記憶されているプリントサイズを、ディスプレイ１４０にプリントサイズ選択画面３０（図７参照）が表示されているときにオペレータが入力したプリントサイズに書き換える。プリント枚数書換部１２６ｂは、プリント枚数記憶部１２４ｂに記憶されている各画像のプリント枚数を、ディスプレイ１４０に注文画面４０（図１０及び図１１参照）が表示されているときにオペレータが各画像に対して入力したプリント枚数に書き換える。補正値書換部１２６ｃは、補正値記憶部１２４ｃに記憶されている各画像の補正値を、ディスプレイ１４０に注文画面４０が表示されているときにオペレータが各画像に対して入力した補正値に書き換える。
【００３０】
プリント情報送信部１２７は、ディスプレイ１４０に注文内容確認画面６０（図１４参照）が表示されているときにオペレータがＯＫボタン６１に接触すると、画像データファイル及び各画像データファイルに係る画像に対してオペレータが入力した注文情報（以下、これら画像データファイル及び注文情報をまとめて「プリント情報」と称する）を写真処理装置２０１に送信する。なお、プリント不要とされた画像（即ち、プリント枚数記憶部１２４ｂに「ゼロ」と記憶された画像）に係る画像データファイルは写真処理装置２０１に送信されない。
【００３１】
取得撮影条件記憶部１２８は、記録媒体の画像記録形式がEXIF形式（Exchangeable Image File Format）等のように画像データファイル内に各画像の撮影条件がタグ情報として記録される形式である場合、メディアドライブ１５０によって読み出されて画像データ記憶部１２２に記憶された画像データファイルから、各画像データファイルに係る画像の撮影条件を取得し、記憶する。一方、記録媒体の画像記録形式がDPOF形式（Digital Print Order Format）等にように記録媒体内の画像データファイルとは別のファイル内に各画像の撮影条件が記憶される形式である場合、メディアドライブ１５０によって読み出された記録媒体内の画像データファイルとは別のファイルから、各画像データファイルに係る画像の撮影条件を取得し、記憶する。
【００３２】
画像データファイル抽出部１２９は、取得撮影条件記憶部１２８に記憶されている撮影条件に基づいて、メディアドライブ１５０により読み出されて画像データ記憶部１２２に記憶された画像データファイルの中から、後述のようにオペレータによって選択された撮影条件に適合した画像データファイルを抽出する。
【００３３】
選択肢記憶部１３０は、有効種類選択画面３５（図８参照）に表示される撮影条件の種類、及び、撮影条件選択画面８０（図９参照）に表示される各撮影条件に係る選択肢を記憶する。本実施形態では、デフォルトで、選択肢記憶部１３０に以下のような３種類の撮影条件についての選択肢が記憶されている。撮影条件は、レンズと被写体との距離、ストロボ発光の有無、及び、シャッター速度の３つの種類（図８及び図９においてそれぞれ「撮影距離」、「撮影場所」、及び「被写体速度」と示されている）とに分類され、レンズと被写体との距離（撮影距離）については「接写」「ポートレート」「風景」の３つの選択肢、ストロボ発光の有無（撮影場所）については「室内」「屋外」の２つの選択肢、シャッター速度（被写体速度）については「静止」「移動」の２つの選択肢が選択肢記憶部１３０に記憶されている。
【００３４】
選択肢書換部１３１は、選択肢記憶部１３０に記憶されている撮影条件に係る選択肢を書き換える。この選択肢書換処理は、装置のメンテナンス時等に行われる。例えば、装置のメンテナンス時に、撮影条件に係る選択肢が記録された記録媒体をメディアドライブ１５０にセットし、選択肢書換を指示することで、メディアドライブ１５０によって記録媒体から撮影条件に係る選択肢が読み出され、そして選択肢書換部１３１によって選択肢記憶部１３０に記憶されている選択肢が上記読み出された選択肢に書き換えられる。例えば、上述した３種類の撮影条件とは別種類の撮影条件として撮影日時が挙げられ、撮影日時に係る選択肢を選択肢記憶部１３０に記憶させてよい。また、各種類の撮影条件に係る選択肢の数を増加させることで、撮影条件をより詳細に指定することができる。
【００３５】
注文完了判断部１３２は、オペレータが注文の完了を指示したか否かを判断する。詳細には、注文完了確認メッセージボックス４７（図１２参照）にＹＥＳボタン４８及びＮＯボタン４９が表示されており、オペレータがＮＯボタン４９に触れれば注文の完了を指示したと判断し、ＹＥＳボタン４８に触れれば注文完了を指示していないと判断する。
【００３６】
次に、図１６Ａ、図１６Ｂ、及び図１６Ｃを参照しつつ、プリント注文受付装置１０１による写真プリント注文受付処理手順について説明する。
【００３７】
図１６Ａに示すように、まず、表示制御部１２３の制御により、ディスプレイ１４０に初期画面１０（図５参照）が表示される（Ｓ１０１）。初期画面１０には、オペレータに対してタッチパネル１４１が形成されたディスプレイ１４０の画面（図２参照）に触れるよう促すメッセージが表示されている。そして、オペレータがディスプレイ１４０の画面に触れたか否かが判断される（Ｓ１０２）。
【００３８】
オペレータがディスプレイ１４０の画面に触れていないと判断された場合（Ｓ１０２：ＮＯ）、オペレータがディスプレイ１４０の画面に触れるまでステップＳ１０２の判断が繰り返される。一方、オペレータがディスプレイ１４０の画面に触れたと判断された場合（Ｓ１０２：ＹＥＳ）、表示制御部１２３の制御により、ディスプレイ１４０にメディアセット案内画面２０（図６参照）が表示される（Ｓ１０３）。メディアセット案内画面２０には、オペレータに対して記録媒体をメディアドライブ１５０にセットして画面右下のＯＫボタン２１に触れるよう促すメッセージ、並びに、ＯＫボタン２１、戻るボタン９１、及び中止ボタン９２が表示されている。
【００３９】
ステップＳ１０３においてメディアセット案内画面２０が表示された後、後に詳述する割り込み処理が開始される（Ｓ１０４）。割り込み処理の開始に続いて、オペレータがＯＫボタン２１に触れたか否かが判断される（Ｓ１０５）。オペレータがＯＫボタン２１に触れていないと判断された場合（Ｓ１０５：ＮＯ）、オペレータがＯＫボタン２１に触れるまでステップＳ１０５の判断が繰り返される。一方、オペレータがＯＫボタン２１に触れたと判断された場合（Ｓ１０５：ＹＥＳ）、メディアドライブ１５０によって、セットされた記録媒体に記録されている画像データファイルが読み出される（Ｓ１０６）。読み出された各画像データファイルには整理番号付与部１２１により整理番号が付与され（Ｓ１０７）、画像データファイルが整理番号と共に画像データ記憶部１２２に記憶される（Ｓ１０８）。そして、取得撮影条件記憶部１２８によって読み出された各画像データファイルに係る画像の撮影条件が取得され且つ記憶される（Ｓ１０９）。
【００４０】
次いで、表示制御部１２３によって、ディスプレイ１４０にプリントサイズ選択画面３０（図７参照）が表示される（Ｓ１１０）。プリントサイズ選択画面３０には、オペレータに対してプリントサイズを選択するよう促すメッセージ、Ｌ版選択ボタン３１、２Ｌ版選択ボタン３２、及び六つ切選択ボタン３３の３つのプリントサイズ選択ボタン３１，３２，３３等が表示されている。各プリントサイズ選択ボタン３１，３２，３３の上側には、対応するプリントサイズの縦横寸法、単価、及び基本料金が表示されており、画面の下側には、図６と同様戻るボタン９１及び中止ボタン９２が表示されている。
【００４１】
ステップＳ１１０においてプリントサイズ選択画面３０が表示された後、オペレータがプリントサイズ選択ボタン３１，３２，３３のいずれかに触れたか否かが判断される（Ｓ１１１）。オペレータがプリントサイズ選択ボタン３１，３２，３３のいずれにも触れていないと判断された場合（Ｓ１１１：ＮＯ）、オペレータがプリントサイズ選択ボタン３１，３２，３３のいずれかに触れるまでステップＳ１１１の判断が繰り返される。一方、オペレータがプリントサイズ選択ボタン３１，３２，３３，９１，９２のいずれかに触れたと判断された場合（Ｓ１１１：ＹＥＳ）、プリントサイズ書換部１２６ａによって、プリントサイズ記憶部１２４ａに記憶されているプリントサイズが、オペレータが触れた選択ボタンに対応するプリントサイズに書き換えられる（Ｓ１１２）。
【００４２】
次いで、表示制御部１２３によって、ディスプレイ１４０に有効種類選択画面３５（図８参照）が表示される（Ｓ１１３）。有効種類選択画面３５には、オペレータに対して撮影条件の種類を選択するよう促すメッセージ、各撮影条件の種類に対応するボタン等が表示される。本実施形態では、表示制御部１２３によって、選択肢記憶部１３０に記憶されている３種類の撮影条件（即ち、レンズと被写体との距離、ストロボ発光の有無、及び、シャッター速度）のそれぞれに対応する撮影距離ボタン３６、撮影場所ボタン３７、及び、被写体速度ボタン３８が、有効種類選択画面３５に表示されている。有効種類選択画面３５の下側には、次へボタン３９、戻るボタン９１、及び中止ボタン９２が表示されている。
【００４３】
ステップＳ１１３において有効種類選択画面３５が表示された後、表示したい撮影条件の種類（有効種類）が選択されたか否かが判断される（Ｓ１１４）。有効種類が選択されていないと判断された場合（Ｓ１１４：ＮＯ）、即ちオペレータが次へボタン３９に触れていないと判断された場合、オペレータが次へボタン３９に触れるまでステップＳ１１４の判断が繰り返される。本実施形態において、オペレータは３種類の撮影条件のいずれか１種類のみ、２種類、又は全種類を有効種類として選択することが可能である。オペレータが撮影条件の種類に対応する３つのボタン３６〜３８のいずれか１つに触れると、当該触れられたボタンは、例えばオペレータが視覚的に識別可能となるよう白黒反転表示される。その後、オペレータが残りの白黒反転表示されていないボタンに触れずに、或いは、白黒反転表示されていないボタンの１つ又は２つにさらに触れた後、次へボタン３９に触れると、オペレータに触れられたボタンに対応する撮影条件が有効種類として選択されたと判断される（Ｓ１１４：ＹＥＳ）。なお、オペレータによる次へボタン３９の接触は、オペレータが撮影条件の種類に対応する３つのボタン３６〜３８の１つに触れた後にのみ検知されるようになっている。
【００４４】
次いで、表示制御部１２３によって、ディスプレイ１４０に撮影条件選択画面８０（図９参照）が表示される（Ｓ１１５）。撮影条件選択画面８０には、オペレータに対して各種類につき１つを選択するよう促すメッセージ、有効種類として選択された種類の撮影条件に係る選択肢等が表示される。ここでは、オペレータが図８に示す３つのボタン３６〜３８全てに触れた後に次へボタン３９に触れた場合、即ち上記３種類の撮影条件全てが有効種類として選択された場合について説明する。撮影条件選択画面８０には、上から順に、レンズと被写体との距離（撮影距離）についての選択肢に対応する接写ボタン８１、ポートレートボタン８２、及び風景ボタン８３、ストロボ発光の有無（撮影場所）についての選択肢に対応する室内ボタン８４及び屋外ボタン８５、そしてシャッター速度（被写体速度）についての選択肢に対応する静止ボタン８６及び移動ボタン８７が表示されている。撮影条件選択画面８０の下側には、ＯＫボタン８８、戻るボタン９１、及び中止ボタン９２が表示されている。
【００４５】
ステップＳ１１５において撮影条件選択画面８０が表示された後、撮影条件が選択されたか否かが判断される（Ｓ１１６）。撮影条件が選択されていないと判断された場合（Ｓ１１６：ＮＯ）、即ちオペレータがＯＫボタン８８に触れていないと判断された場合、オペレータがＯＫボタン８８に触れるまでステップＳ１１６の判断が繰り返される。一方、オペレータが各種類の撮影条件に係る選択肢に対応するボタンに触れ、その後ＯＫボタン８８に触れた場合、撮影条件が選択されたと判断される（Ｓ１１６：ＹＥＳ）。そして、画像データファイル抽出部１２９によって、ステップＳ１０９において取得された撮影条件に基づいて、ステップＳ１０８において画像データ記憶部１２２に記憶された画像データファイルの中から、選択された撮影条件に適合した画像データファイルが抽出される（Ｓ１１７）。
【００４６】
次いで、表示制御部１２３によって、ディスプレイ１４０に注文画面４０（図１０参照）が表示される（Ｓ１１８）。一の注文画面４０には、オペレータに対してプリント枚数の設定と画像の調整を行うよう促すメッセージ、８コマのサムネイル画像、各サムネイル画像のプリント枚数等が表示される。プリント枚数表示部の左右には、プリント枚数を増加させる増加ボタン４１及び減少させる減少ボタン４２がそれぞれ配置されている。注文画面４０の右上には、各サムネイル画像に係る画像データファイルに対してＲ、Ｇ、Ｂ各色の補正値及び濃度の補正値を増加させる増加ボタン４３ａ、４３ｂ、４３ｃ、４３ｄ、及び、減少させる減少ボタン４４ａ、４４ｂ、４４ｃ、４４ｄが表示されている。さらに注文画面４０の下側の中央には注文情報の概要が表示されており、その左側には中止ボタン９２、その右側には戻るボタン９１及び次へボタン４５が表示されている。
【００４７】
ステップＳ１１８において注文画面４０が表示された後、増加ボタン４１又は減少ボタン４２が触れられることによりプリント枚数が入力されたか否かが判断される（Ｓ１１９）。プリント枚数が入力されていないと判断された場合（Ｓ１１９：ＮＯ）、ステップＳ１２０を省略してステップＳ１２１に進む。一方、プリント枚数が入力されたと判断された場合（Ｓ１１９：ＹＥＳ）、プリント枚数書換部１２６ｂによってプリント枚数記憶部１２４ｂに記憶されているプリント枚数が入力されたプリント枚数に書き換えられ（Ｓ１２０）、その後、増加ボタン４３ａ〜４３ｄ又は減少ボタン４４ａ〜４４ｄが触れられることにより補正値が入力されたか否かが判断される（Ｓ１２１）。
【００４８】
色及び濃度の補正を行う際には、オペレータはまず補正を行いたい画像が表示されている部分に触れる。図１０には、オペレータが左上のサムネイル画像に触れた例が示されており、触れられた画像は影が設けられることにより立体的に表示される。オペレータはこの状態で色及び濃度の補正に係る増加ボタン４３ａ〜４３ｄ又は減少ボタン４４ａ〜４４ｄに触れることで、所望の画像に対して色又は濃度の補正を行うことができる。
【００４９】
補正値の入力が行われていないと判断された場合（Ｓ１２１：ＮＯ）、ステップＳ１２２を省略してステップＳ１２３に進む。一方、補正値の入力が行われたと判断された場合（Ｓ１２１：ＹＥＳ）、補正値書換部１２６ｃによって補正値記憶部１２４ｃに記憶されている補正値が入力された補正値に書き換えられ（Ｓ１２２）、その後、次へボタン４５又は後述する最終の注文画面４０（図１１）におけるＯＫボタン４６が触れられたか否かが判断される（Ｓ１２３）。
【００５０】
次へボタン４５又はＯＫボタン４６が触れられていないと判断された場合（Ｓ１２３：ＮＯ）、ステップＳ１１９に戻る。一方、次へボタン４５又はＯＫボタン４６が触れられたと判断された場合（Ｓ１２３：ＹＥＳ）、ディスプレイ１４０に表示されているのが最終の注文画面４０であるか否かが判断される（Ｓ１２４）。
【００５１】
図１１に、最終の注文画面４０の一例が示されている。最終の注文画面４０は、次へボタン４５の代わりにＯＫボタン４６が設けられている点において、図１０に示す最終でない注文画面と異なっている。なお、上述のようの本実施形態では一の注文画面４０に８コマのサムネイル画像が含まれるが、最終の注文画面４０に含まれるサムネイル画像が８コマ未満となる場合がある。
【００５２】
最終の注文画面でないと判断された場合（Ｓ１２４：ＮＯ）、表示制御部１２３によって、ディスプレイ１４０に、まだ表示されていない別のサムネイル画像群を含む注文画面４０が表示され（Ｓ１２５）、ステップＳ１１９に戻る。一方、最終の注文画面であると判断された場合（Ｓ１２４：ＹＥＳ）、表示制御部１２３によって、ディスプレイ１４０に注文完了確認メッセージボックス４７（図１２参照）が表示される（Ｓ１２６）。注文完了確認メッセージボックス４７は最終の注文画面４０上に重なるように表示され、その中にオペレータに対して別の撮影条件の画像を表示するか否かを選択するようメッセージ、ＹＥＳボタン４８、及びＮＯボタン４９が表示されている。
【００５３】
次いで、注文完了判断部１３２によって、オペレータが注文完了確認メッセージボックス４７（図１２参照）のＹＥＳボタン４８及びＮＯボタン４９のいずれに触れたかに応じて、注文完了か否かが判断される（Ｓ１２７）。オペレータがＹＥＳボタン４８に触れた場合、注文完了でないと判断され（Ｓ１２７：ＮＯ）、ステップＳ１１３に戻って再びディスプレイ１４０に有効種類選択画面３５（図８参照）が表示される。
【００５４】
一方、オペレータがＮＯボタン４９に触れた場合、注文完了と判断され（Ｓ１２７：ＹＥＳ）、表示制御部１２３によって、ディスプレイ１４０に名前入力画面５０（図１３参照）が表示される（Ｓ１２８）。名前入力画面５０には、オペレータに対して名前を入力するよう促すメッセージ、名前を入力するための入力キー５１、入力キー５１を介して入力された名前を表示する表示部５２等が表示される。名前入力画面５０下側には、ＯＫボタン５３、戻るボタン９１、及び中止ボタン９２が表示されている。
【００５５】
そして、オペレータが入力キー５１を介して名前を入力した後ＯＫボタン５３に触れたか否かが判断される（Ｓ１２９）。オペレータがＯＫボタン５３に触れていないと判断された場合（Ｓ１２９：ＮＯ）、オペレータがＯＫボタン５３に触れるまでステップＳ１２９の判断が繰り返される。一方、オペレータがＯＫボタン５３に触れたと判断された場合（Ｓ１２９：ＹＥＳ）、入力された名前が顧客情報記憶部１２５に記憶される（Ｓ１３０）。
【００５６】
次いで、表示制御部１２３によって、ディスプレイ１４０に注文内容確認画面６０（図１４参照）が表示される（Ｓ１３１）。注文内容確認画面６０には、オペレータに対して注文の内容を確認するよう促すメッセージ、顧客の名前、顧客がプリントを注文した画像に係る画像データファイルの整理番号、プリントサイズ、プリント枚数、料金等が表示される。さらに注文内容確認画面６０の下側には、ＯＫボタン６１、戻るボタン９１、及び中止ボタン９２が表示されている。
【００５７】
そして、オペレータが注文内容確認画面６０に表示された内容を確認してＯＫボタン６１に触れたか否かが判断される（Ｓ１３２）。オペレータがＯＫボタン６１に触れていないと判断された場合（Ｓ１３２：ＮＯ）、オペレータがＯＫボタン６１に触れるまでステップＳ１３２の判断が繰り返される。一方、オペレータがＯＫボタン６１に触れたと判断された場合（Ｓ１３２：ＹＥＳ）、プリント情報送信部１２７によってプリント情報が写真処理装置２０１に送信され（Ｓ１３３）、その後表示制御部１２３によってディスプレイ１４０に受付証発行画面７０（図１５参照）が表示される（Ｓ１３４）。受付証発行画面７０にはオペレータに対してメディアドライブ１５０から記録媒体を取り出すよう促すメッセージ、受付証を発行していることを告知するメッセージ等が表示される。そして、受付証印字プリンタ１６０によって受付証が発行される（Ｓ１３５）。
【００５８】
次に、図１６Ｃを参照しつつ、割り込み処理の手順について説明する。
【００５９】
当該割り込み処理は、メディアセット案内画面２０（図６参照）、プリントサイズ選択画面３０（図７参照）、有効種類選択画面３５（図８参照）、撮影条件選択画面８０（図９参照）、注文画面４０（図１０及び図１１参照）、名前入力画面５０、名前入力画面５０（図１３参照）、及び、注文内容確認画面６０（図１４参照）の各画面の下側に表示される戻るボタン９１及び中止ボタン９２の操作に関する処理である。詳細には、当該割り込み処理は図１６ＡのフローチャートのステップＳ１０４で開始され、その後のステップＳ１０５〜ステップＳ１３５と並行して行われる。
【００６０】
まず、オペレータが戻るボタン９１に触れたか否かが判断される（Ｓ２０１）。オペレータが戻るボタン９１に触れたと判断された場合（Ｓ２０１：ＹＥＳ）、表示制御部１２３によって、ディスプレイ１４０に表示される画面が直前に表示されていた画面に切り換えられる（Ｓ２０２）。具体的には、例えば、オペレータがメディアセット案内画面２０（図６参照）の戻るボタン９１に触れた場合、初期画面１０が表示される。オペレータがプリントサイズ選択画面３０（図７参照）の戻るボタン９１に触れた場合、メディアセット案内画面２０（図６参照）が表示される。また、オペレータが注文画面４０の戻るボタン９１に触れた場合であって、その前に注文画面４０が表示されていればその前の注文画面４０、その前に注文画面４０が表示されていない（即ち、その時点で表示されているのが最初の注文画面４０である）場合は、撮影条件選択画面（図９）が表示される。また、オペレータが撮影条件選択画面の戻るボタン９１に触れた場合、有効条件選択画面（図８）が表示される。
【００６１】
そして、ステップＳ２０２で切り換えられた画面が初期画面１０であるか否か判断される（Ｓ２０３）。初期画面１０であると判断された場合（Ｓ２０３：ＹＥＳ）、割り込み処理が終了する。一方、初期画面１０でないと判断された場合（Ｓ２０３：ＮＯ）、ステップＳ２０１に戻って再びオペレータが戻るボタン９１に触れたか否かの判断が行われる。
【００６２】
オペレータが戻るボタン９１に触れていないと判断された場合（Ｓ２０１：ＮＯ）、オペレータが中止ボタン９２に触れたか否かが判断される（Ｓ２０４）。オペレータが中止ボタン９２に触れていないと判断された場合（Ｓ２０４：ＮＯ）、ステップＳ２０１に戻る。一方、オペレータが中止ボタン９２に触れたと判断された場合（Ｓ２０４：ＹＥＳ）、表示制御部１２３によって、ディスプレイ１４０に表示される画面が初期画面１０に切り換えられ（Ｓ２０５）、割り込み処理が終了する。
【００６３】
次に、図１７を参照しつつ、写真処理装置２０１について説明する。写真処理装置２０１は、フィルムスキャナ２２０、プリンタプロセッサ２５０、及び、写真処理装置２０１を制御するコントローラ２３０を有する。フィルムスキャナ２２０及びプリンタプロセッサ２５０は共にコントローラ２３０に接続されている。
【００６４】
フィルムスキャナ２２０は、写真フィルムを副走査方向（図１７中矢印Ａで示す方向）に一定速度で搬送するフィルムキャリア２２１、フィルムキャリア２２１によって搬送される写真フィルムに光を照射する光源２２２、写真フィルムを透過した光を受光して写真フィルムのコマ画像を光電変換するためのＣＣＤラインセンサユニット２２６、及び、ＣＣＤラインセンサユニット２２６の出力信号を処理する処理回路（図示せず）を有する。ＣＣＤラインセンサユニット２２６には、写真フィルムの幅方向に沿って配列された約５０００個の受光部を含むＣＣＤラインセンサが３つ設けられている。各ＣＣＤラインセンサは、受光面に赤、緑、青のカラーフィルタを形成し、写真フィルムのコマ画像を色分解して検出する。ＣＣＤラインセンサユニット２２６の出力信号を処理する処理回路（図示せず）は、ＣＣＤラインセンサユニット２２６の出力アナログ信号を増幅した後Ａ／Ｄ変換を行い、コントローラ２３０に送信する。つまりフィルムスキャナ２２０では、セットされた写真フィルムがフィルムキャリア２２１により搬送されると共に、当該写真フィルムのコマ画像が順次読み取られ、赤、緑、青各色のデジタル画像データファイルがコントローラ２３０に送信される。
【００６５】
プリンタプロセッサ２５０は、コントローラ２３０から送信された画像処理済みの画像データファイルに基づいて印画紙に対して露光を行うプリンタ２５１、露光済みの印画紙に対して現像、漂白、安定化等の処理を行うプロセッサ２５２、プロセッサ２５２から排出された印画紙を乾燥させる仕上げ処理部２５３を有する。
【００６６】
プリンタ２５１は、印画紙を収納する２つのペーパーマガジン２５４、印画紙をペーパーマガジン２５４から引き出しつつ搬送する複数の搬送ローラ対２５５、搬送ローラ対２５５によって搬送されてきた印画紙をプリントサイズに切断するカッター２５６、及び、カッター２５６で切断された印画紙に対して露光を行うことで当該印画紙上に後述の画像処理部２３４によって画像処理が施された画像データファイルに対応する画像の潜像を形成する露光ユニット２５８を有する。露光ユニット２５８としては、例えばレーザ露光方式、ＰＬＺＴ方式、ＣＲＴ方式等適宜のものを採用可能である。
【００６７】
プリンタ２５１によって潜像が形成された印画紙は、プロセッサ２５２を経て仕上げ処理部２５３へと搬送され、仕上がりの写真プリントとして排出される。
【００６８】
図１８に、写真処理装置２０１を制御するコントローラ２３０のブロック図が示されている。コントローラ２３０には、ディスプレイ２１１、キーボード２１２、及びマウス２１３を含むインターフェイス部２１０が接続されている。インターフェイス部２１０は写真処理装置２０１及びそれを操作するオペレータ間の情報のやり取りを行うためのものであって、ディスプレイ２１１は写真処理装置２０１に関する様々な情報を表示してオペレータに告知し、またオペレータはキーボード２１２及びマウス２１３を介して写真処理装置２０１に指示を与えることができる。さらにコントローラ２３０には、データ伝送ネットワーク３０１（図１参照）に接続するためのネットワークインターフェイス２４９、及び、ＣＤ−Ｒ（Compact Disc-Recordable）に対してデータの読み書きを行うＣＤ−Ｒドライブ２６１が接続されている。写真処理装置２０１はＣＤ−Ｒドライブ２６１を設けたことで、顧客が持参した記録媒体に記録されている画像データファイル又はフィルムスキャナ２２０から取り込まれた画像データファイルをＣＤ−Ｒに書き込むサービスを提供することができる。
【００６９】
コントローラ２３０は、データ前処理部２３１、画像データ記憶部２３２、注文情報記憶部２３３、画像処理部２３４、搬送制御部２３５、切断制御部２３６、及び、露光制御部２３７を有する。
【００７０】
データ前処理部２３１は、プリント注文受付装置１０１のプリント情報送信部１２７から受信したプリント情報を、整理番号が付与された画像データファイルと注文情報とに区分けし、画像データファイルを画像データ記憶部２３２に、注文情報を注文情報記憶部２３３にそれぞれ転送する。
【００７１】
画像データ記憶部２３２は、データ前処理部２３１から転送された画像データファイルを整理番号と共に記憶する。図１９は、画像データ記憶部２３２のディレクトリ構成を示す。本実施形態の画像データ記憶部２３２は、２台のプリント注文受付装置１０１から送信された画像データファイルを２つのフォルダＳＴ−１，ＳＴ−２に個別に格納する。各フォルダＳＴ−１，ＳＴ−２内のディレクトリ構成は、図４を参照して上述したプリント注文受付装置１０１の画像データ記憶部１２２のディレクトリ構成と同様である。
【００７２】
注文情報記憶部２３３は、データ前処理部２３１から転送された注文情報を記憶する。
【００７３】
画像処理部２３４は、画像データ記憶部２３２に記憶されている画像データファイルに対して、必要に応じてプリントサイズに合致した画像サイズに変換するための処理や鮮鋭化処理などの各種の画像処理を施す。
【００７４】
搬送制御部２３５及び切断制御部２３６は、注文情報記憶部２３３に記憶されている注文情報通りに写真プリントが作成されるように、プリンタ２５１に含まれる搬送ローラ対２５５及びカッター２５６（図１７参照）の動作をそれぞれ制御する。露光制御部２３７は、画像処理部２３４によって画像処理が施された画像データファイルに係る画像の潜像が印画紙に形成されるように、プリンタ２５１に含まれる露光ユニット２５８を制御する。
【００７５】
本実施形態の写真処理装置２０１では、データ伝送ネットワーク３０１によって接続された２台のプリント注文受付装置１０１から送信された画像データファイルに係るプリント処理を並行して行うことができる。さらに２台のプリント注文受付装置１０１から送信された画像データファイルに加え、フィルムスキャナ２２０から送信される画像データファイルに係るプリント処理も並行して行うことができる。
【００７６】
次に、図２０を参照しつつ、写真処理装置２０１によるプリント処理の手順について説明する。
【００７７】
まず、プリント注文受付装置１０１からプリント情報を受信する（Ｓ３０１）。次に、データ前処理部２３１によって、プリント情報が、整理番号が付与された画像データファイルと注文情報とに区分けされる（Ｓ３０２）。そして、画像データファイルが画像データ記憶部２３２に、注文情報が注文情報記憶部２３３にそれぞれ記憶される（Ｓ３０３）。
【００７８】
次いで、画像処理部２３４によって、画像データ記憶部２３２に記憶されている画像データファイルに対して各種画像処理が施される（Ｓ３０４）。その後、搬送制御部２３５によって搬送ローラ対２５５が駆動され、印画紙の搬送が開始される。（Ｓ３０５）。そして切断制御部２３６によってカッター２５６が駆動され、印画紙が注文情報記憶部２３３に記憶されている注文情報に含まれるプリントサイズに切断される（Ｓ３０６）。切断された印画紙には、露光ユニット２５８によって露光処理が施されることで、画像処理済みの画像データファイルに係る画像の潜像が形成される（Ｓ３０７）。こうして潜像が形成された印画紙は、プリンタ２５１からプロセッサ２５２に送り込まれ、現像・漂白・安定化などの処理を施される（Ｓ３０８）。そして画像が顕在化した印画紙は、プロセッサ２５２から仕上げ処理部２５３に送り込まれて乾燥処理を施され（Ｓ３０９）、写真プリントとして写真処理装置２０１から排出される（Ｓ３１０）。
【００７９】
以上に述べたように、本実施形態のプリント注文受付装置１０１によると、記録媒体に記録された全ての画像データファイルに対応する画像ではなく、設定された撮影条件に適合した又は適合しない画像データファイルに係る画像のみがディスプレイ１４０に表示されるので、プリントの注文情報を入力する際にオペレータが確認すべき画像の数を減少させることができる。これにより、記録媒体に非常に多くの画像が記録されている場合でも、注文情報の入力作業にかかる時間及び労力を短縮させることができる。また、１オペレータがプリント注文受付装置１０１を占用する時間が短くなるので当該受付装置１０１を効率よく使用することができ、他の顧客の待ち時間が短くなり、顧客にもＤＰ店にも好都合である。
【００８０】
またプリント注文受付装置１０１では、ディスプレイ１４０への表示を必要とする又は必要としない画像の撮影条件をオペレータが入力し、この入力された撮影条件に適合した画像データファイルが抽出されるという構成である。この場合、オペレータの所望の画像をディスプレイ１４０に表示させることができる。
【００８１】
さらに、表示制御部１２３によって撮影条件に係る複数の選択肢８１〜８７を含む撮影条件選択画面８０をディスプレイ１４０に表示させるという構成であるので、オペレータは撮影条件を入力する際に撮影条件選択画面８０に含まれる撮影条件に係る複数の選択肢８１〜８７の中から所望の撮影条件を選択するだけでよく、撮影条件の入力作業を容易且つ迅速に行うことができる。
【００８２】
表示制御部１２３は１つの撮影条件選択画面８０内に互いに異種の撮影条件に係る選択肢を組み合わせて表示させているので、オペレータは１つの撮影条件選択画面８０において１種類だけではなく複数種類に係る撮影条件を入力することができる。したがって、撮影条件を詳細に指定する場合でも、何度も画面を切り換えることなく撮影条件の入力作業を行うことができる。
【００８３】
プリント注文受付装置１０１は撮影条件選択画面８０に表示される撮影条件に係る複数の選択肢８１〜８７を記憶する選択肢記憶部１３０を備えているので、記録媒体がセットされるたびに撮影条件選択画面８０に表示されるべき選択肢を設定する等の煩雑な作業が必要ない。
【００８４】
プリント注文受付装置１０１は選択肢記憶部１３０に記憶された選択肢を書き換える選択肢書換部１３１をさらに備えているので、撮影条件選択画面８０に表示される撮影条件に係る選択肢をその時々の要望に応じて変更することができる。
【００８５】
選択肢記憶部１３０は複数種類の撮影条件に係る選択肢を記憶しており、撮影条件選択画面８０が表示される前に有効種類選択画面３５において、複数種類の撮影条件のうちどの種類の撮影条件に係る選択肢を撮影条件選択画面８０に表示させるかが入力され、そして表示制御部１２３によって有効種類選択画面３５において入力された種類の撮影条件に係る選択肢が撮影条件選択画面８０に表示される。この構成によると、撮影条件が複数種類ある場合において、オペレータにまず所望の撮影条件の種類を入力させ、その後、入力された種類の撮影条件に係る選択肢８１〜８７を表示してその中から所望の撮影条件を選択させることができる。この場合、選択肢記憶部１３０に記憶されている全種類の撮影条件に係る選択肢を撮影条件選択画面８０に表示する場合に比べ、撮影条件の入力作業をよりスムーズに行うことができる。なお、上述した例では全種類、即ち図８に示されているレンズと被写体との距離（撮影距離）、ストロボ発光の有無（撮影場所）、及び、シャッター速度（被写体速度）の全ての種類を選択しているため、図９には選択肢記憶部１３０に記憶されている全種類の撮影条件に係る選択肢が表示されているが、本実施形態によると、図８の有効種類選択画面３５において１又は２つの種類を選択することで、選択した種類の撮影条件に係る選択肢のみを撮影条件選択画面８０に表示させることができる。
【００８６】
プリント注文受付装置１０１は、注文の完了が指示されたか否かを判断する注文完了判断部１３２をさらに備えており、注文の完了が指示されたと注文完了判断部１３２が判断するまで、撮影条件を複数回入力可能である（図１６ＢのステップＳ１２７参照）。そしてオペレータにより撮影条件が入力されるごとに、画像データファイル抽出部１２９によって画像データファイルが抽出される（図１６ＡのステップＳ１１３〜ステップＳ１１７参照）。この構成によると、ある撮影条件に適合した又は適合しない画像について注文を終えた後、プリント注文を完了せずに（ステップＳ１２７：ＮＯ）、その後引き続き、ステップＳ１１３〜ステップＳ１１６において別の撮影条件を入力してその別の撮影条件に適合した又は適合しない画像についての注文を行うことができる。このようにプリント注文の完了が指示されるまで撮影条件の入力及びその撮影条件に適合する画像に関する注文情報の入力を繰り返し行うことができるので、一の撮影条件を入力してその撮影条件に適合する画像に関する注文を行う毎に初期画面１０に戻って再び記録媒体をセットし直した後別の撮影条件を入力する等の構成に比べ、注文情報の入力作業にかかる時間が短縮される。
【００８７】
本実施形態において撮影条件は、レンズと被写体との距離（撮影距離）、ストロボ発光の有無（撮影場所）、及び、シャッター速度（被写体速度）のいずれか１つに関連するものである（図９参照）。上記各種類の撮影条件に係る情報は一般に記録媒体に記録されるので、画像データファイルの抽出や抽出された画像データファイルに係る画像を含む注文画面の表示を適切に行うことができる。
【００８８】
以上、本発明の好適な一実施の形態について説明したが、本発明は上述の実施の形態に限られるものではなく、特許請求の範囲に記載した限りにおいて、様々な設計変更を行うことが可能なものである。
【００８９】
例えば、上述の実施形態では図９に示すように撮影条件選択画面８０内に互いに異種の撮影条件に係る選択肢８１〜８７を独立的に表示させているが、異種の撮影条件に係る選択肢を組み合わせて、例えば１つのボタンに「接写・室内・静止」「ポートレート・屋外・静止」等と表示した組合せ選択肢を表示させてもよい。
【００９０】
また、撮影条件選択画面８０内に互いに異種の撮影条件に係る選択肢を表示することに限定されず、図２１Ａに示すように１つの撮影条件選択画面１８０ａ内に同種の撮影条件（撮影距離）に係る選択肢１８１，１８２，１８３だけを表示させ、複数種類の撮影条件係る複数の撮影条件選択画面１８０ａ，１８０ｂを順次ディスプレイ１４０に表示させてよい。図２１Ｂの撮影条件選択画面１８０ｂは、図２１Ａに示す撮影条件選択画面１８０ａの次に表示される撮影条件選択画面であって、撮影条件選択画面１８０ａに表示された撮影条件の種類（撮影距離）とは異なる種類の撮影条件（撮影場所）に係る選択肢１８４，１８５を含んでいる。オペレータが撮影条件選択画面１８０ａにおいて選択肢１８１〜１８３の１つに触れ、その後ＯＫボタン１８８ａに触れると、撮影条件選択画面１８０ｂが表示される。そしてオペレータが当該画面１８０ｂのＯＫボタン１８８ｂに触れると、表示されるべき撮影条件に係る選択肢があれば残りの選択肢が表示され、なければ図１０に示す注文画面４０が表示される。この構成によると、１つの撮影条件選択画面１８０ａ又は１８０ｂ内に同種の複数の撮影条件に係る選択肢だけが表示されるので、オペレータは容易且つ迅速に所望の撮影条件を見つけて入力することができる。
【００９１】
撮影条件選択画面２８０に、撮影条件に係る選択肢にそれぞれ対応した複数のアイコンを表示させてもよい。例えば図２２に示すよう、撮影距離についての「接写」「ポートレート」「風景」という選択肢をそれぞれ花のアイコン２８１、人物のアイコン２８２、及び風景のアイコン２８３で、撮影場所についての「室内」「屋外」という選択肢をそれぞれ家の中に星マークが付いたアイコン２８４及び家の外に星マークが付いたアイコン２８５で、被写体速度についての「静止」「移動」という選択肢をそれぞれ人が静止しているアイコン２８６及び人が走っているアイコン２８７で表示する。この場合、オペレータは撮影条件選択画面２８０に表示された撮影条件に係る各選択肢２８１〜２８７を直感的に認識することができるので、撮影条件の入力作業をスムーズに行うことができる。
【００９２】
上述の実施形態では撮影条件選択画面８０に表示される撮影条件に係る選択肢が選択肢記憶部１３０に記憶されているが、これに限定されない。選択肢記憶部１３０を省略し、取得撮影条件記憶部１２８に記憶された撮影条件に基づいて、撮影条件選択画面８０に含まれる撮影条件に係る選択肢を決定してもよい。この構成によると、例えば、記録媒体から読み出された画像データファイルに係る画像が風景かポートレートに限定されている場合、レンズと被写体との距離について風景及びポートレートという選択肢のみが撮影条件選択画面８０に表示される。また例えば、記録媒体から読み出された画像データファイルに係る画像が様々な速度の被写体を撮影したものである場合、被写体速度についての選択肢が静止及び移動の２つではなくさらに速度に応じて何段階かの選択肢が設けられる。このように記録媒体に記録された画像の撮影条件に適した選択肢を撮影条件選択画面８０に表示することで、撮影条件の入力作業をスムーズに行うことができる。
【００９３】
なお、シャッター速度はＥＶ値と相関関係にあり、撮影条件を取得するステップＳ１０９においてシャッター速度の代わりにＥＶ値を撮影条件の一種として取得してよい。さらに、ステップＳ１０９において記録媒体又は画像データファイルから取得される画像の撮影条件、並びに、有効種類選択画面３５や撮影条件選択画面８０に表示される撮影条件の種類及び選択肢は、上述したものに限定されず、様々に変更可能である。
【００９４】
上述の実施形態ではステップＳ１１３〜ステップＳ１１６においてオペレータがディスプレイ１４０への表示を必要とする撮影条件を選択したが、表示を必要としない撮影条件を選択し、ステップＳ１１７において、表示を必要としないと選択された撮影条件に適合しない画像データファイルを抽出してもよい。
【００９５】
さらに、上述の実施形態ではオペレータがディスプレイ１４０への表示を必要とする画像の撮影条件を入力し、画像データファイル抽出部１２９はその入力された撮影条件に適合した画像データファイルを抽出しているが、これに限定されず、予め装置の製造段階において或いはＤＰ店の店員等によって、画像データファイル抽出部１２９によって抽出される画像データファイルに係る撮影条件が設定されていてもよい。
【００９６】
注文完了判断部１３２を省略し、一の撮影条件を入力してその撮影条件に適合する画像に関する注文を行う毎に初期画面１０に戻り、記録媒体をセットし直した後、別の撮影条件を入力する構成としてもよい。
【００９７】
ステップＳ１１３における有効種類選択画面３５の表示及びステップＳ１１４における有効種類選択が選択されたか否か判断を省略し、撮影条件選択画面８０を表示してもよい。この場合、撮影条件選択画面８０が表示される前にオペレータによる撮影条件の種類の選択が行われないため、選択肢記憶部１３０に記憶されている全種類の撮影条件に係る選択肢が撮影条件選択画面８０に表示される。
【００９８】
撮影条件選択画面８０に含まれる撮影条件に係る選択肢は様々に表示されてよい。また、撮影条件選択画面８０を表示せず、ディスプレイ１４０への表示を必要とする画像の撮影条件が適宜の入力手段を介して入力されてもよい。
【００９９】
選択肢書換部１３１が省略され、選択肢記憶部１３０に記憶された撮影条件が書換不可能であってもよい。
【０１００】
上述の実施形態では画像の撮影条件を入力する手段としてディスプレイ１４０上に形成されたタッチパネル１４１を用いているが、これに限定されず、キーボードやマウス等の入力手段を介して画像の撮影条件を入力してよい。注文情報の入力に関しても同様に、タッチパネル１４１ではなく上記のような他の入力手段を介して行ってよい。
【０１０１】
上述の実施の形態ではデータ伝送ネットワーク３０１により写真処理装置２０１と接続されてプリントシステム１を構築するプリント注文受付装置１０１について説明したが、これに限定されず、プリント注文受付装置は独立型のものであってもよく、例えば写真処理ユニットを内蔵したものであってよい。さらにプリント注文受付装置が受け付けた注文情報に基づいてプリントを行う装置は、上述の実施形態のように印画紙に露光・現像・漂白・安定化・乾燥等の処理を施して写真プリントを作成するものに限定されず、例えばインクジェット式のプリンタであってもよい。
【０１０２】
オペレータは顧客に限定されず、ＤＰ店の店員等であってもよい。
【図面の簡単な説明】
【０１０３】
【図１】本発明の一実施の形態に係るプリント注文受付装置を含むプリントシステムの全体斜視図である。
【図２】図１に示すプリント注文受付装置の斜視図である。
【図３】図２のプリント注文受付装置を制御するコントローラのブロック図である。
【図４】図３のプリント注文受付装置のコントローラにおける画像データ記憶部のディレクトリ構成を示す説明図である。
【図５】図２のプリント注文受付装置のディスプレイに表示される初期画面を示す模式図である。
【図６】図２のプリント注文受付装置のディスプレイに表示されるメディアセット案内画面を示す模式図である。
【図７】図２のプリント注文受付装置のディスプレイに表示されるプリントサイズ選択画面を示す模式図である。
【図８】図２のプリント注文受付装置のディスプレイに表示される有効種類選択画面を示す模式図である。
【図９】図２のプリント注文受付装置のディスプレイに表示される撮影条件選択画面を示す模式図である。
【図１０】図２のプリント注文受付装置のディスプレイに表示される注文画面を示す模式図である。
【図１１】図２のプリント注文受付装置のディスプレイに最終の注文画面が表示されている状態を示す模式図である。
【図１２】図２のプリント注文受付装置のディスプレイに注文完了確認メッセージボックスが表示されている状態を示す模式図である。
【図１３】図２のプリント注文受付装置のディスプレイに表示される名前入力画面を示す模式図である。
【図１４】図２のプリント注文受付装置のディスプレイに表示される注文内容確認画面を示す模式図である。
【図１５】図２のプリント注文受付装置のディスプレイに表示される受付証発行画面を示す模式図である。
【図１６Ａ】図２のプリント注文受付装置によるプリント注文受付処理手順を示すフローチャート（前半）である。
【図１６Ｂ】図２のプリント注文受付装置によるプリント注文受付処理手順を示すフローチャート（後半）である。
【図１６Ｃ】図２のプリント注文受付装置によるプリント注文受付処理中に行われる割り込み処理の手順を示すフローチャートである。
【図１７】図１に示す写真処理装置の概略構成図である。
【図１８】図１７の写真処理装置を制御するコントローラのブロック図である。
【図１９】図１８の写真処理装置のコントローラにおける画像データ記憶部のディレクトリ構成を示す説明図である。
【図２０】図１７の写真処理装置による写真プリント作成処理手順を示すフローチャートである。
【図２１Ａ】図２のプリント注文受付装置のディスプレイに表示される撮影条件選択画面の一変形例を示す模式図である。
【図２１Ｂ】図２１Ａに示す撮影条件選択画面の次に表示される撮影条件選択画面を示す模式図である。
【図２２】図２のプリント注文受付装置のディスプレイに表示される撮影条件選択画面において、撮影条件に係る選択肢がアイコンで示されている例を示す模式図である。
【符号の説明】
【０１０４】
１  プリントシステム
３５  有効種類選択画面
４０  注文画面
８０，１８０ａ，１８０ｂ  撮影条件選択画面
１０１  プリント注文受付装置
１２０  コントローラ
１２２  画像データ記憶部（撮影条件取得手段）
１２３  表示制御部（注文画面表示制御手段，撮影条件選択画面表示制御手段，有効種類入力手段）
１２８  取得撮影条件記憶部（撮影条件取得手段）
１２９  画像データファイル抽出部（抽出手段）
１３０  選択肢記憶部（選択肢記憶手段）
１３１  選択肢書換部（選択肢書換手段）
１３２  注文完了判断部（注文完了判断手段）
１４０  ディスプレイ
１４１  タッチパネル（撮影条件入力手段，有効種類入力手段）
１５０  メディアドライブ（読み出し部，撮影条件取得手段）
２８１〜２８７  アイコン
【図１】
2006277255.tif 000003
【図２】
2006277255.tif 000004
【図３】
2006277255.tif 000005
【図４】
2006277255.tif 000006
【図５】
2006277255.tif 000007
【図６】
2006277255.tif 000008
【図７】
2006277255.tif 000009
【図８】
2006277255.tif 000010
【図９】
2006277255.tif 000011
【図１０】
2006277255.tif 000012
【図１１】
2006277255.tif 000013
【図１２】
2006277255.tif 000014
【図１３】
2006277255.tif 000015
【図１４】
2006277255.tif 000016
【図１５】
2006277255.tif 000017
【図１６Ａ】
2006277255.tif 000018
【図１６Ｂ】
2006277255.tif 000019
【図１６Ｃ】
2006277255.tif 000020
【図１７】
2006277255.tif 000021
【図１８】
2006277255.tif 000022
【図１９】
2006277255.tif 000023
【図２０】
2006277255.tif 000024
【図２１Ａ】
2006277255.tif 000025
【図２１Ｂ】
2006277255.tif 000026
【図２２】
2006277255.tif 000027